(57)【要約】【課題】予定の出来事が発生した場合に、それを通知した家族、親しい人にサプライズメッセージを伝達するシステムを提供する。【解決手段】依頼主情報の管理装置２と、管理装置２に接続されており、依頼主に予定の出来事が発生した通知を受け取る通知受理装置３とで構成されるメッセージ伝達システム１において、管理装置２は、依頼主の識別情報、依頼主の所望するメッセージ送付先、及びメッセージを登録する登録部と、通知受理装置３に依頼主の識別情報を登録する通知設定部とを備え、通知受理装置３は、通知を受理した場合に管理装置２へ当該出来事の発生を知らせる通知部を備え、管理装置２は、通知部からの出来事の発生の知らせに応じて登録部に登録してあるメッセージをメッセージ送付先に伝達する伝達部を備えている。当該構成により、依頼主に予定の出来事が発生した通知を行った家族等にサプライズメッセージを伝達することができる。【選択図】図１
2016164766.tif 000002
【特許請求の範囲】
【請求項１】
依頼主情報の管理装置と、当該管理装置に接続されており、依頼主に予測不能なタイミングで訪れる予定の出来事が発生した通知を受け取る通知受理装置とで構成されるメッセージ伝達システムにおいて、
前記管理装置は、依頼主の識別情報、依頼主の所望するメッセージ送付先、及びメッセージを登録する登録部と、前記通知受理装置に前記依頼主の識別情報を登録する通知設定部と、を備え、
前記通知受理装置は、前記通知設定部によって登録された前記依頼主について前記予定の出来事が発生した通知を受理した場合に前記管理装置へ当該出来事の発生を知らせる通知部を備え、
前記管理装置は、前記通知部からの予定の出来事の発生の知らせに応じて前記登録部に登録してあるメッセージを前記メッセージ送付先に伝達する伝達部を備えていることを特徴とするメッセージ伝達システム。
【請求項２】
前記通知受理装置を複数備えており、
前記管理装置は、前記通知受理装置の一部又は全部を選定する選定部を備え、前記通知設定部は、前記選定部によって選ばれた通知受理装置に前記依頼主の識別情報を登録し、
前記選定部によって選ばれた通知受理装置の前記通知部は、前記通知設定部によって登録された前記依頼主に予定の出来事が発生した通知を受理した場合に前記管理装置へ当該出来事の発生を知らせることを特徴とする請求項１に記載のメッセージ伝達システム。
【請求項３】
前記依頼主の識別情報には依頼主の住所及び居所の情報が含まれており、
前記選定部は、依頼主の住所及び居所の情報に基づいて複数ある通知受理装置から最寄りの位置にある通知受理装置を選定することを特徴とする請求項２に記載のメッセージ伝達システム。
【請求項４】
前記管理装置の登録部は、依頼主のメッセージ送付先として依頼主の家族の情報を登録することを特徴とする請求項１乃至請求項３の何れか一項に記載のメッセージ伝達システム。
【請求項５】
前記管理装置の登録部は、依頼主のメッセージ送付先として依頼主の家族及び親しい人の情報を登録することを特徴とする請求項１乃至請求項３の何れか一項に記載のメッセージ伝達システム。
【請求項６】
前記管理装置の登録部は、依頼主のメッセージ送付先として親しい人の情報を登録することを特徴とする請求項１乃至請求項３の何れか一項に記載のメッセージ伝達システム。
【請求項７】
依頼主情報の管理装置と、当該管理装置に接続されており、依頼主に予測不能なタイミングで訪れる予定の出来事が発生した通知を受ける通知受理装置とで構成されるメッセージ伝達システムで実行するメッセージ伝達方法において、
前記管理装置において、依頼主の識別情報、依頼主の所望するメッセージ送付先、及びメッセージを登録する登録行程と、前記通知受理装置に前記依頼主の識別情報を登録する通知設定行程と、を行い、
前記依頼主の識別情報が登録されている通知受理装置において、前記依頼主について前記予定の出来事が発生した通知を受理した場合に前記管理装置へ当該出来事の発生を知らせる通知行程を行い、
前記管理装置において、前記予定の出来事の発生の知らせに応じて前記登録してあるメッセージを前記メッセージ送付先に伝達する伝達行程を行うことを特徴とするメッセージ伝達方法。
【請求項８】
依頼主情報の管理装置と、当該管理装置に接続されており、依頼主に予定の出来事が発生した通知を受ける通知受理装置とで構成されるメッセージ伝達システムにおいて、
前記管理装置及び通知受理装置に記録され、請求項７に記載のメッセージ伝達方法を前記管理装置及び通知受理装置に実行させるコンピュータ読み取り可能なプログラム。
【請求項９】
請求項８に記載の前記管理装置及び通知受理装置において実行されるプログラムを記録した情報記録媒体。
【発明の詳細な説明】
【技術分野】
【０００１】
本発明は、依頼主が生前に用意した遺言などのメッセージを、予測不能なタイミングで訪れる出来事、例えば依頼主の死亡後に予め定めた者へ伝達するメッセージ伝達システム、その方法、それに用いるプログラム、当該プログラムを記録した記録媒体に関する。
【背景技術】
【０００２】
従来、遺言などのメッセージ伝達システムとして、依頼主が加入している保険会社に遺言等のメッセージを預けておくものが提案されている（特許文献１）。このシステムでは、依頼主の死亡後に残された家族から当該保険会社へ届けられる依頼主の死亡通知に応えて、前記メッセージをこの残された家族に送付する。本明細書において、死亡通知とは、死亡の通知、詳しくは、死亡届、死亡診断書、火埋葬許可証等を伴う葬儀業者、保険会社等への通知をいう。例えば、保険会社へ提出する死亡通知は、死亡診断書と共に送付される通知書のことをいう。
【先行技術文献】
【特許文献】
【０００３】
【特許文献１】特開２００５−１８２２９６号公報
【発明の概要】
【発明が解決しようとする課題】
【０００４】
上記のシステムでは、保険加入時に、依頼主だけでなく、残される家族にもメッセージ伝達システムの説明をする。このため、そのようなメッセージがあることを残された家族に秘匿にしておくことは難しい。
【０００５】
本発明は、上記従来の問題を解決するためになされたものであり、依頼主に予測不能なタイミングで訪れる出来事、例えば死亡の後、残された家族、更には親しかった人等へ、依頼主からの不意打ちのメッセージ（サプライズメッセージという）を伝達可能とするシステム、その方法、それに用いるプログラム、当該プログラムを記録した記録媒体を提供することを目的とする。
【課題を解決するための手段】
【０００６】
上記目的を達成するために本発明は、依頼主情報の管理装置と、当該管理装置に接続されており、依頼主に予測不能なタイミングで訪れる予定の出来事が発生した通知を受け取る通知受理装置とで構成されるメッセージ伝達システムにおいて、前記管理装置は、依頼主の識別情報、依頼主の所望するメッセージ送付先、及びメッセージを登録する登録部と、前記通知受理装置に前記依頼主の識別情報を登録する通知設定部と、を備え、前記通知受理装置は、前記通知設定部によって登録された前記依頼主について前記予定の出来事が発生した通知を受理した場合に前記管理装置へ当該出来事の発生を知らせる通知部を備え、前記管理装置は、前記通知部からの予定の出来事の発生の知らせに応じて前記登録部に登録してあるメッセージを前記メッセージ送付先に伝達する伝達部を備えていることを特徴とする。
【０００７】
前記通知受理装置を複数備えており、前記管理装置は、前記通知受理装置の一部又は全部を選定する選定部を備え、前記通知設定部は、前記選定部によって選ばれた通知受理装置に前記依頼主の識別情報を登録し、前記選定部によって選ばれた通知受理装置の前記通知部は、前記通知設定部によって登録された前記依頼主に予定の出来事が発生した通知を受理した場合に前記管理装置へ当該出来事の発生を知らせることが好ましい。
【０００８】
前記依頼主の識別情報には依頼主の住所及び居所の情報が含まれており、前記選定部は、依頼主の住所及び居所の情報に基づいて複数ある通知受理装置から最寄りの位置にある通知受理装置を選定するのが好ましい。
【０００９】
前記管理装置の登録部は、依頼主のメッセージ送付先として依頼主の家族の情報を登録することが好ましい。
【００１０】
前記管理装置の登録部は、依頼主のメッセージ送付先として依頼主の家族及び親しい人の情報を登録することが好ましい。
【００１１】
前記管理装置の登録部は、依頼主のメッセージ送付先として親しい人の情報を登録することが好ましい。
【００１２】
また、本発明は、依頼主情報の管理装置と、当該管理装置に接続されており、依頼主に予測不能なタイミングで訪れる予定の出来事が発生した通知を受ける通知受理装置とで構成されるメッセージ伝達システムで実行するメッセージ伝達方法において、前記管理装置において、依頼主の識別情報、依頼主の所望するメッセージ送付先、及びメッセージを登録する登録行程と、前記通知受理装置に前記依頼主の識別情報を登録する通知設定行程と、を行い、前記依頼主の識別情報が登録されている通知受理装置において、前記依頼主について前記予定の出来事が発生した通知を受理した場合に前記管理装置へ当該出来事の発生を知らせる通知行程を行い、前記管理装置において、前記予定の出来事の発生の知らせに応じて前記登録してあるメッセージを前記メッセージ送付先に伝達する伝達行程を行うことを特徴とする。
【００１３】
また、本発明のプログラムは、依頼主情報の管理装置と、当該管理装置に接続されており、依頼主に予定の出来事が発生した通知を受ける通知受理装置とで構成されるメッセージ伝達システムにおいて、前記管理装置及び通知受理装置に記録され、前記メッセージ伝達方法を前記管理装置及び通知受理装置に実行させることを特徴とする。
【００１４】
また、本発明の情報記録媒体は、前記管理装置及び通知受理装置に記録されるプログラムを記録したことを特徴とする。
【発明の効果】
【００１５】
本発明のメッセージ伝達システム、メッセージ伝達方法、プログラムを実行することにより実現されるメッセージ伝達方法によれば、依頼主に予測不能なタイミングで訪れる予定の出来事が訪れ、その通知を受けた通知受理装置が、管理装置へ当該通知を伝える。これによって、前記依頼主に予定の出来事が発生したことを通知した者に事前に知られることなく、依頼主が予め用意したサプライズメッセージを、登録しているメッセージ送付先に伝達することができる。
【図面の簡単な説明】
【００１６】
【図１】本発明の一実施の形態に係るメッセージ伝達システムの構成を示すブロック図。
【図２】同システムを構成する管理装置において実行する処理を示すメインルーチンのフローチャート。
【図３】管理装置において記録される依頼主情報の１レコードのデータ構成を示す図。
【図４】メインルーチンに示した送付先の登録処理のサブルーチンのフローチャート。
【図５】メインルーチンに示した通知受理装置の選定処理のサブルーチンのフローチャート。
【図６】同システムを構成する通知受理装置において実行する処理を示すメインルーチンのフローチャート
【発明を実施するための形態】
【００１７】
本発明のメッセージ伝達システムは、依頼主情報の管理装置と、当該管理装置に接続されており、依頼主に予測不能なタイミングで訪れる予定の出来事が発生した通知を受け取る１又は複数の通知受理装置とで構成される。予定の出来事とは、依頼主自ら通知するのが困難な予定の出来事、例えば急病、入院、または、自分では通知できない予定の出来事、例えば死亡という出来事を含む。管理装置は、入力手段（キーボード）を有しており、コンピュータ読み取り可能なプログラムを実行することにより、依頼主の識別情報、依頼主の所望するメッセージ送付先、及びメッセージを登録する登録部と、選ばれた通知受理装置に依頼主の識別情報を登録する通知設定部と、を実現する。通知受理装置は、コンピュータ読み取り可能なプログラムによって、予定の出来事が発生した通知を受理した場合に、管理装置へ出来事の発生を通知する通知部を実現する。管理装置は、更に、通知部からの通知に応じて登録部に登録してあるメッセージをメッセージ送付先に伝達する伝達部を備えている。通知受理装置と管理装置とを分けた構成を採用することによって、予定の出来事の後、例えば依頼主の死後、残された家族及び親しい人に、不意打ちのメッセージ（サプライズメッセージ）を送信することができる。なお、伝達部は、メッセージを電子メール、ファクシミリ、郵送で送信する。
【００１８】
本発明の一実施の形態に係るメッセージ伝達システム１について説明する。図１に示すように、メッセージ伝達システム１は、管理装置２と、通知受理装置３とで構成される。
【００１９】
管理装置２は、主に本システムを運営する管理会社に設置され、依頼主の識別情報等を登録し、依頼主４に予定の出来事が発生した場合、本例では死亡した場合にメッセージを予め定めた相手に送信する処理を行う。依頼主４は、本システムを利用し、自分が死亡した後に残された家族５や、親しい人６に、事前に知らせることなく不意打ちのメッセージ（サプライズメッセージ）を送ることを望む者である。
【００２０】
通知受理装置３は、１又は複数用意され、管理会社と契約を結んだ葬儀屋、保険会社等、残された家族５から死亡通知（予定の出来事の発生の通知）が届けられると想定される場所に設置される。通知受理装置３は、依頼主の死亡後、残された家族５から依頼主の死亡通知を受け、これを管理装置２に知らせる。死亡通知とは、死亡の通知、詳しくは死亡届、死亡診断書、火埋葬許可証等を伴う葬儀業者又は保険会社への通知をいう。例えば、葬儀屋へ提出する死亡通知は、死亡届、死亡診断書、火埋葬許可証等と共に送付される通知書のことをいう。保険会社へ提出する死亡通知は、死亡診断書と共に送付される通知書のことをいう。
なお、予定の出来事が急病や入院の場合、通知受理装置３は、管理会社と契約を結んだ病院等に設置される。この場合、通知受理装置３には、急病、入院の通知が届けられる。
【００２１】
メッセージ伝達システム１によって実行されるメッセージ伝達方法を簡単に説明する。メッセージ伝達方法は、手順A〜Eの行程により実行される。手順Aとして、依頼主４は、管理会社を訪れる。管理会社では、管理装置２に依頼主の住所及び居所、氏名、メッセージ送付相手の情報及びメッセージを登録する登録行程を実行する。手順Bとして、管理装置２を介して予め定めた通知受理装置３に依頼主の識別情報を登録する通知設定行程を実行する。手順Cとして、残された家族５から、葬儀屋又は保険会社に依頼主の死亡通知が来るのを待機する。依頼主の識別情報を登録している通知受理装置３に依頼主の死亡通知が入力されると、手順Dで、通知受理装置３から管理装置２へ依頼主の死亡を知らせる通知行程を実行する。この知らせを受けた管理装置２は、手順Eで、依頼主に指定された残された家族５、親しかった人にサプライズメッセージを伝達する伝達行程を実行する。サプライズメッセージの伝達は、電子メール、ファクシミリによるメッセージ送信の他、自動ＤＭ作成装置等を用いてメッセージを印刷した書類を自動送信する等の処理を含めてもよい。メッセージ送信は、文章だけでなく、音や映像等、人の五感に作用する他のもので行うことを含む。
【００２２】
図２に示すように、管理装置２は、依頼主の識別情報、所望するメッセージ、メッセージの送付先の情報を登録する登録部と、１又は複数の通知受理装置の一部または全部を選定する選定部と、選定部によって選ばれた通知受理装置に依頼主の識別情報を登録する登録部と、通知受理装置からの依頼主の死亡の知らせを受けて、登録してあるメッセージをメッセージ送付先に伝達する伝達部として機能する。
【００２３】
ステップ１では、入力を受け付ける状態で待機する。依頼主情報の入力を受け付けると（ステップＳ１でＹｅｓ）、ステップＳ２で依頼主の識別情報を登録し、ステップＳ３でメッセージを登録し、ステップＳ４で送付先の登録を行う。なお、管理装置２にアクセスするためのホームページを用意し、依頼主のＩＤ及びＰＷを入力することで依頼主が登録情報を更新可能にしてもよい。
【００２４】
ステップＳ５では、依頼主の死亡通知を受け取る通知受理装置の選定処理を実行する。ステップＳ６では、選定した通知受理装置に依頼主の識別情報を登録する。
【００２５】
一方、依頼主情報が入力されない場合（ステップＳ１でＹｅｓ）、ステップＳ７で通知受理装置３からの依頼主の死亡の知らせを待機する。依頼主の死亡の知らせを受けた場合（ステップＳ７でＹｅｓ）、ステップＳ８で依頼主を検索し、登録されているかを確認する。登録されている場合（ステップＳ８でＹｅｓ）、ステップＳ９でメッセージ伝達処理を実行する。メッセージの伝達処理は、メッセージを電子メール、ファクシミリ、郵送で送信することによって行う。ステップＳ７の処理は、通知受理装置３から管理装置２への直接のデータ通信によって行う。変形例として、管理装置２のホームページに通知受付窓口を設け、スマートフォン等のデバイスを、前記通知受付窓口にアクセスするための通知受理装置３として機能させるアプリケーションプログラムを別に用意してもよい。
【００２６】
図３には、ステップＳ２〜Ｓ４で実現される登録部において一人の依頼主に用意されるデータベースの１レコードのデータ構成、すなわち、１レコードを構成する各フィールドを示す。１レコードは、依頼主の氏名と、住所及び居所と、メッセージを知らせる人の情報と、メッセージ本文の情報とで構成されている。住所及び居所は、一般に、死亡届を提出する順の住所を考慮して、住所（本籍地）と、勤務先住所と、現住所（家族の住所）と、を含む。メッセージを知らせる人の情報は、残された家族５の情報及び親しい人６の情報の内、１つ以上の情報を含む。
【００２７】
図４を参照しつつ、図２に示したメインルーチンのステップＳ４の送付先の登録処理について詳しく説明する。初期設定として、管理装置２の入力手段を用いて、予め登録内容についてのモード設定を行っておく。モード１（ｍ＝１）の場合、依頼主の家族５の情報、すなわち、各扶養家族のメールアドレス、ファクシミリ番号、現住所及び居所を登録する（ステップＳ２１）。モード２（ｍ＝２）の場合、上記依頼主の家族５の情報の他に、親しい人６の情報、すなわちメールアドレス、ファクシミリ番号、現住所及び居所を登録する（ステップＳ２２）。モード３（ｍ＝３）の場合、上記親しい人６の情報のみを登録する（ステップＳ２３）。
【００２８】
図５を参照しつつ、図２に示したメインルーチンのステップＳ５の通知受理装置の選定処理について詳しく説明する。初期設定（図示せず）として、管理装置２の入力手段を用いて、一部を選定するのか全部を選定するのかの設定を行っておく。また、各通知受理装置３には、設置場所の情報を登録しておく。一部を選定する場合（ステップＳ３０でＹｅｓ）、依頼主の住所及び居所の情報に基づいて複数ある通知受理装置３から最寄りの位置にある通知受理装置３を選定する。具体的には、依頼主の住所（本籍）、勤務先住所、現住所（家族５のいる場所）に最寄りの葬儀屋及び保険会社に設置されている通知受理装置を選ぶ（ステップＳ３１）。全部を選定する場合（ステップＳ３０でＮｏ）、全ての通知受理装置を選ぶ（ステップＳ３２）。
なお、この通知受理装置の選定は、各通知受理装置のデータベースがネット上で共有されている場合には、不要である。この場合、何れか１つの通知受理装置を選び、依頼主の識別情報を入力するだけで、当該装置を含め全ての通知受理装置に依頼主の識別情報が記録されたのと同じ結果を得られるからである。
【００２９】
図６に示すように、通知受理装置３は、管理装置２の通知設定部によって依頼主の識別情報を登録される処理を行う他、登録された依頼主の死亡通知を受けた場合に管理装置２へ依頼主の死亡を知らせる通知部として機能する。
【００３０】
管理装置２から選定された旨の信号を受けた場合（ステップＳ５１でＹｅｓ）、依頼主の識別情報を登録する（ステップＳ５２）。選定された旨の信号を受けていないが（ステップＳ５１でＮｏ）、依頼主の死亡後に残された家族５から死亡通知を受けた場合（ステップＳ５３でＹｅｓ）、ステップＳ５４で、通知を受けた依頼主が登録されているかを確認する。登録されている場合（ステップＳ５４でＹｅｓ）、管理装置２へ依頼主の死亡を知らせる（ステップＳ５５）。死亡通知を受けた依頼主が未登録の場合（ステップＳ５４でＮｏ）、ステップＳ５１に戻る。
【００３１】
上記のように構成されたメッセージ伝達システムでは、管理装置２と通知受理装置３とを分けた構成を採用する。依頼主に自分で通知するのが困難な予定の出来事、又は自分では通知できない予定の出来事、例えば急病、入院、又は死亡という出来事が発生した場合、その通知を通知受理装置３に行った者は、この通知受理装置３から管理装置２に出来事の発生について通知されることを知らない。この構成を採用したことによって、本システムは、残された家族５及び親しい人６にサプライズメッセージを送ることができる。
【００３２】
本発明は、上記実施形態の構成に限られず、発明の趣旨を変更しない範囲で種々の変形が可能である。例えば、管理装置２と、１又は複数の通知受理装置３とで用いるプログラムは、予め各装置にインストールされていても良いし、これらが記録されている情報記録媒体を用いて、必要に応じてインストールする構成を採用してもよい。
【産業上の利用可能性】
【００３３】
本発明のメッセージ伝達システム、伝達方法は、依頼主に予測不能なタイミングで訪れる予定の出来事、例えば急病、入院、死亡、または、急な海外出張が発生した後に、そのことを通知受理装置３が備えられている機関に通知する人に気づかれることなく、予め定めた相手だけにサプライズメッセージを送信可能にする。サプライズメッセージは、遺言や感謝を表す文字だけでなく、音や映像によって伝えることもできる。
【符号の説明】
【００３４】
１        メッセージ伝達システム
２        管理装置
３        通知受理装置
４        依頼主
５        残された家族
６        親しい人
【図１】
2016164766.tif 000003
【図２】
2016164766.tif 000004
【図３】
2016164766.tif 000005
【図４】
2016164766.tif 000006
【図５】
2016164766.tif 000007
【図６】
2016164766.tif 000008